(57)【特許請求の範囲】
【請求項１】
肘掛けの長さが座部の前端から後端までの長さより短く形成された事務用の椅子の肘掛けに掛け止めすることによって肘掛けの上面に沿って配置される板状部材からなる椅子の肘掛けの覆い部材であって、椅子の座部の前端から後端までの長さに相当する長さを有するとともに、肘掛けから延設された部分が水平状態から下方に折れ曲がって変形しない剛性を備えた装着部と、装着部に形成した複数本の易折線のうち装着する肘掛けの幅に応じた易折線の箇所で折り曲げて形成した肘掛けの側部を覆う目隠し部とを備えてなることを特徴とする椅子の肘掛けの覆い部材。
【請求項２】
椅子に座った状態で膝部を包み込むことができるようにしたシート材を用いた膝掛け部を備え、該膝掛け部のシート材を、装着部又は目隠し部と一体化してなることを特徴とする請求項１に記載の椅子の肘掛けの覆い部材。
【請求項３】
請求項１又は２に記載の椅子の肘掛けの覆い部材を備えてなることを特徴とする椅子。
【発明の詳細な説明】
【技術分野】
【０００１】
本発明は、椅子の肘掛けの覆い部材及び該部材を備えた椅子に関するものである。
【背景技術】
【０００２】
従来、事務用として汎用されている椅子には、肘掛けが備えられているものがあるが、この肘掛けは、座面側から立ち上げた支持部材を介して取り付けられているのが一般的である。
このため、この種の椅子においては、椅子の肘掛けと座面との間に大きな空間が形成され、この空間を通して、空気が流通するため、身体を冷えさせたり、座っている人の着衣が見えるため、着衣の状態に気を配る必要があるという問題があった。
【０００３】
一方、保温のために、膝掛けが使用されているが、膝掛けを単独で用いる場合、膝掛けがずり落ちやすいという問題があるほか、この種の椅子の肘掛けは、その長さが、椅子の座部の前端から後端までの長さよりかなり短い長さしかないものが多いため、不使用時に膝掛けの垂れ下がった部分が床面に接触し、膝掛けが汚れるという問題があった。
【発明の概要】
【発明が解決しようとする課題】
【０００４】
本発明は、上記従来の肘掛けが備えられている椅子の有する問題点に鑑み、肘掛けと座面との間に形成される空間に起因する問題を解消するようにした、椅子の肘掛けの覆い部材及び該部材を備えた椅子を提供することを第１の目的とする。
【０００５】
また、本発明は、膝掛けを使用する場合の問題を解消するようにした、椅子の肘掛けの覆い部材及び該部材を備えた椅子を提供することを第２の目的とする。
【課題を解決するための手段】
【０００６】
上記第１の目的を達成するため、本発明の椅子の肘掛けの覆い部材は、肘掛けの長さが座部の前端から後端までの長さより短く形成された事務用の椅子の肘掛けに掛け止めすることによって肘掛けの上面に沿って配置される板状部材からなる椅子の肘掛けの覆い部材であって、椅子の座部の前端から後端までの長さに相当する長さを有するとともに、肘掛けから延設された部分が水平状態から下方に折れ曲がって変形しない剛性を備えた装着部と、装着部に形成した複数本の易折線のうち装着する肘掛けの幅に応じた易折線の箇所で折り曲げて形成した肘掛けの側部を覆う目隠し部とを備えてなることを特徴とする。
【０００８】
また、装着部の長さを可変にしてなるようにすることができる。
【０００９】
また、上記第２の目的を達成するため、本発明の椅子の肘掛けの覆い部材は、椅子に座った状態で膝部を包み込むことができるようにしたシート材を用いた膝掛け部を備え、該膝掛け部のシート材を、装着部又は目隠し部と一体化してなることを特徴とする。
【００１０】
また、上記第２の目的を達成するため、本発明の椅子の肘掛けの覆い部材は、肘掛けの側部を覆う目隠し部が、椅子に座った状態で膝部を包み込むことができるようにしたシート材を用いた膝掛け部材からなることを特徴とする。
【００１１】
また、上記第１及び第２の目的を達成するため、本発明の椅子は、上記の椅子の肘掛けの覆い部材を備えてなることを特徴とする。
【発明の効果】
【００１２】
本発明の椅子の肘掛けの覆い部材によれば、椅子の肘掛けに掛け止めすることによって肘掛けの上面に沿って配置される装着部と、肘掛けの側部を覆う目隠し部とを備えてなるようにすることにより、椅子の肘掛けに簡易に装着できる部材によって、椅子の肘掛けと座面との間に形成される空間を覆って、この空間を通して、空気が流通することや、座っている人の着衣が見えることを防止して、肘掛けと座面との間に形成される空間に起因する問題を解消することができる。
【００１３】
また、椅子の座部の前端から後端までの長さに相当する長さを有するようにすることにより、肘掛けと座面との間に形成される空間に起因する問題をより確実に解消することができる。
【００１４】
また、装着部の長さを可変にしてなるようにすることにより、種々の大きさの椅子に対応することができる。
【００１５】
また、本発明の椅子の肘掛けの覆い部材によれば、椅子に座った状態で膝部を包み込むことができるようにしたシート材を用いた膝掛け部を備え、該膝掛け部のシート材を、装着部又は目隠し部と一体化してなるようにしたり、肘掛けの側部を覆う目隠し部が、椅子に座った状態で膝部を包み込むことができるようにしたシート材を用いた膝掛け部材からなるようにすることにより、膝掛け部がずり落ちることや、不使用時に膝掛け部の垂れ下がった部分が床面に接触し、膝掛け部が汚れることを防止して、膝掛けを使用する場合の問題を解消することができる。
【００１６】
また、本発明の椅子によれば、肘掛けと座面との間に形成される空間に起因する問題及び膝掛けを使用する場合の問題を解消することができる。
【図面の簡単な説明】
【００１７】
【図１】本発明の椅子の肘掛けの覆い部材及び該部材を備えた椅子の実施例を示し、（ａ）は椅子の肘掛けの覆い部材を適用する椅子の斜視図、（ｂ）は椅子の肘掛けの覆い部材を適用した椅子の斜視図、（ｃ）は椅子の肘掛けの覆い部材の展開した状態を示す平面図、（ｄ）は膝掛け部を備えた椅子の肘掛けの覆い部材を適用した椅子の斜視図、（ｅ）は膝掛け部の展開した状態を示す平面図である。
【図２】同椅子の肘掛けの覆い部材及び該部材を備えた椅子の実施例を示し、（ａ）は椅子の肘掛けの覆い部材を適用した椅子の平面図、（ｂ１）は同正面図、（ｂ２）は同椅子の肘掛けの覆い部材を椅子に装着した状態を示す正面図、（ｃ１）は同変形実施例の正面図、（ｃ２）は同変形実施例の椅子の肘掛けの覆い部材を椅子に装着した状態を示す正面図、椅子の肘掛けの覆い部材を適用した椅子の斜視図、（ｄ１）は椅子の肘掛けの覆い部材の変形実施例の平面図、（ｄ２）は椅子の肘掛けの覆い部材の変形実施例の側面図、（ｅ）は椅子の肘掛けの覆い部材を適用した椅子の肘掛けの側面断面図である。
【図３】同椅子の肘掛けの覆い部材及び該部材を備えた椅子の各種実施例を示し、椅子の肘掛けの覆い部材を適用した椅子の肘掛け部分の正面断面図である。
【図４】同椅子の肘掛けの覆い部材及び該部材を備えた椅子の各種実施例を示し、椅子の肘掛けの覆い部材を適用した椅子の正面断面図である。
【図５】同椅子の肘掛けの覆い部材及び該部材を備えた椅子の各種実施例を示し、（ａ）は椅子の肘掛けの覆い部材を適用した椅子の肘掛け部分の側面断面図（高さ調整部材なし）、（ｂ）は椅子の肘掛けの覆い部材を適用した椅子の肘掛け部分の側面断面図（高さ調整部材あり）である。
【図６】同椅子の肘掛けの覆い部材及び該部材を備えた椅子の各種実施例を示し、椅子の肘掛けの覆い部材を適用した椅子の正面断面図である。
【図７】同椅子の肘掛けの覆い部材及び該部材を備えた椅子の各種実施例を示し、椅子の肘掛けの覆い部材を適用した椅子の斜視図である。
【発明を実施するための形態】
【００１８】
以下、本発明の椅子の肘掛けの覆い部材及び該部材を備えた椅子の実施の形態を、図面に基づいて説明する。
【００１９】
図１〜図４に、本発明の椅子の肘掛けの覆い部材の一実施例を示す。
図１（ｂ）に示すように、この椅子の肘掛けの覆い部材１は、椅子３の肘掛け３１に掛け止めすることによって肘掛け３１の上面に沿って配置される装着部１１と、肘掛け３１の側部を覆う目隠し部１２とを備えるようにしている。
【００２０】
この場合において、覆い部材１の装着部１１は、プラスチック板（棒又はパイプ）、プラスチック段ボール等の合成樹脂製のもの、アルミニウム板（棒又はパイプ）等の金属製のもの、段ボール等の厚紙製のもの等の剛性を有する板状（棒状又はパイプ状）部材で構成するようにする。
ここで、覆い部材１の装着部１１に要求される剛性は、図２（ｅ）に示すように、覆い部材１を椅子３の肘掛け３１に装着した状態で、装着部１１の肘掛け３１の前後に延設された部分に肘を置いたときに装着部１１が折れ曲がって変形しない程度の強度をいう。
なお、覆い部材１の装着部１１は、基本的には、剛性を有する部材で構成するようにするが、復元性を有するゴム弾性体からなる部材で構成するようにすることもできる。
【００２１】
覆い部材１は、図１（ｃ）に示すように、装着部１１に複数本の易折線１１ａを形成しておき、装着する肘掛け３１の幅に応じた易折線１１ａの箇所で折り曲げて装着するようにしている。
これにより、肘掛け３１の幅寸法が異なる種々の大きさの椅子３に対応することができる。
【００２２】
覆い部材１のうち、少なくとも、装着部１１は、椅子３の座部３２の前端から後端までの長さＬ３に相当する長さＬ１１（通常、４００〜４５０ｍｍ程度。）を有するように形成することが好ましい。
【００２３】
そして、覆い部材１のうち、少なくとも、装着部１１は、その長さＬ１１を可変にしてなるようにすることができる。
装着部１１の長さＬ１１を可変にする機構としては、例えば、図２（ｄ１）に示すように、スライドして長さＬ１１を調節できるようにしたり、図２（ｄ２）に示すように、折り畳んだ部材を展開して長さＬ１１を調節できるようにすることができる。
これにより、種々の大きさの椅子３に対応することができる。
【００２４】
なお、椅子３の肘掛け３１の上面は、図５（ａ）に示すように、通常、水平になっているが、図５（ｂ）に示すように、水平でない場合には、覆い部材１の装着部１１を水平状態に安定して装着できるように、必要に応じて、高さ調整部材１１ｂを装着部１１と肘掛け３１の間に配設するようにする。
【００２５】
また、覆い部材１の目隠し部１２は、装着部１１と同じ材料を用いて一体に形成するほか、図６（ａ）及び（ｂ）に示す変形実施例のように、織布、編布、毛布、不織布等の布製のもの、プラスチックシート、発泡プラスチックシート等の合成樹脂製のもの等の比較的柔軟性を有する部材を用いることもでき、いずれの場合も、面ファスナー、紐部材、ホック、ボタン、磁石、粘着剤等の任意の固着部材や固着手段４を用いて、装着部１１に一体に固着して（本実施例においては、装着部１１を覆って）構成するようにする。
【００２６】
そして、図１（ｃ）に示すように、覆い部材１の目隠し部１２によって肘掛け３１の側部を内外の両側から覆うようにするとともに、装着部１１と同じ材料を用いて一体に形成する場合には、覆い部材１の展開した幅寸法Ｌ１２は、肘掛け３１の幅寸法に、肘掛け３１から椅子３の座部３２までの高さ方向の寸法の２倍を加えた寸法（通常、４５０〜５００ｍｍ程度。）に設定するようにする。
【００２７】
このように、本実施例においては、図１、図２（ｂ１）及び（ｂ２）、図３（ａ）並びに図４（ａ）に示すように、覆い部材１の目隠し部１２は、肘掛け３１の側部を内外の両側から覆うようにしているが、図２（ｃ１）及び（ｃ２）に示すように、肘掛け３１の側部を内側のみから覆うようにしたり、外側のみから覆うようにする（図示省略。）ことができる。
そして、いずれの場合も、面ファスナー、紐部材、ホック、ボタン、磁石、粘着剤等の任意の固着部材や固着手段４を用いて、対向する目隠し部１２（装着部１１）同士及び／又は目隠し部１２（装着部１１）と椅子３とを固定することにより、覆い部材１を椅子３の肘掛け３１に装着するようにする。
【００２８】
椅子の肘掛けの覆い部材１は、以下に説明する膝掛け部２を備える場合のほか、単独で使用することもできる。
このため、覆い部材１は、露出した状態でも使用できるように、椅子の用途や設置場所に適した意匠性の高い部材で構成することが好ましい。
これにより、椅子３の肘掛け３１に簡易に装着できる部材によって、椅子３の肘掛け３１と座面との間に形成される空間を覆って、この空間を通して、空気が流通することや、座っている人の着衣が見えることを防止して、肘掛け３１と座面との間に形成される空間に起因する、空気の流通による身体の冷えの問題や座っている人の着衣が見えることによる着衣の状態に気を配る必要があるという問題を解消することができる。
【００２９】
さらに、椅子の肘掛けの覆い部材１は、図１（ｄ）及び（ｅ）に示すように、椅子に座った状態で膝部を包み込むことができるようにしたシート材を用いた膝掛け部２を備え、この膝掛け部２のシート材を、覆い部材１の装着部１１又は目隠し部１２と、面ファスナー、紐部材、ホック、ボタン、磁石、粘着剤等の任意の固着部材や固着手段４を用いて一体化してなるようにすることができる。
これにより、膝掛け部２がずり落ちることや、不使用時に膝掛け部２の垂れ下がった部分が床面に接触し、膝掛け部２が汚れることを防止して、膝掛けを使用する場合の問題を解消することができる。
【００３０】
膝掛け部２を構成するシート材には、厚手の織布、編布、毛布、不織布等の保温性を有する布製のもの、プラスチックシート、発泡プラスチックシート等の合成樹脂製のもの等を好適に用いることができる。
膝掛け部２を構成するシート材は、図１（ｅ）に示すように、９００〜１０００ｍｍ×１５００〜１７００ｍｍ程度の矩形に設定するようにする。
また、膝掛け部２を構成するシート材の座部２２に、クッション性を有する部材（座布団）を組み込むようにしたり、膝掛け部２に座部２２を設けず、左右に分断して構成することもできる。
【００３１】
ここで、膝掛け部２のシート材を、覆い部材１の装着部１１又は目隠し部１２と一体化する手段として、本実施例においては、図１（ｅ）、図３（ａ）及び図４（ａ）に示すように、膝掛け部２に覆い部材１の内側の目隠し部１２を挿入する袋状部２１を形成して、膝掛け部２を目隠し部１２に保持するようにして、袋状部２１の上端（図３（ａ）の矢印で示す位置）で、膝掛け部２の自由端側がフリーとなるようにしている（同様に、図３の他の図においても、膝掛け部２の自由端側がフリーとなる位置を矢印で示す。ここで、膝掛け部２の自由端側がフリーとなる位置は、覆い部材１の内側の目隠し部１２の中間より下方位置に設定することが、保温の観点からは好ましい。）。
【００３２】
なお、膝掛け部２のシート材を、覆い部材１の装着部１１又は目隠し部１２と一体化する手段としては、このほか、図３（ｂ）〜（ｉ）に示すように、覆い部材１の目隠し部１２を、膝掛け部２を構成するシート材と共用（部分的にシート材を２重構造）とすることもできる。
【００３３】
また、図４（ｂ）〜（ｅ）に示すように、別途用意した膝掛け部材２Ａを用いることもできる。
この場合、図４（ｃ）〜（ｅ）に示すように、肘掛け３１の側部を覆う目隠し部１２を、椅子に座った状態で膝部を包み込むことができるようにしたシート材を用いた膝掛け部材２Ａから構成することもできる。
ここで、膝掛け部材２Ａを構成するシート材には、膝掛け部２と同様、厚手の織布、編布、毛布、不織布等の保温性を有する布製のもの、プラスチックシート、発泡プラスチックシート等の合成樹脂製のもの等を好適に用いることができる。
また、図４（ｂ）〜（ｄ）に示すように、膝掛け部材２Ａを構成するシート材の座部２２に、クッション性を有する部材（座布団）を組み込むようにしたり、図４（ｅ）に示すように、膝掛け部材２Ａに座部２２を設けず、左右に分断して構成することもできる。
【００３４】
さらに、椅子の肘掛けの覆い部材１は、図７（ａ）に示すように、覆い部材１の目隠し部１２を椅子３の背もたれ３３の位置まで延設した延設部１３を形成したり、図７（ｂ）に示すように、それに加えて、椅子３の座部３２の位置まで延設した延設部１４を形成することができる。
これにより、椅子３の背もたれ３３と座面との間に形成される空間を覆って、この空間を通して、空気が流通することや、座っている人の着衣が見えることを防止して、背もたれ３３と座面との間に形成される空間に起因する、空気の流通による身体の冷えの問題や座っている人の着衣が見えることによる着衣の状態に気を配る必要があるという問題を解消することができる。
【００３５】
以上、本発明の椅子の肘掛けの覆い部材及び該部材を備えた椅子について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３６】
本発明の椅子の肘掛けの覆い部材及び該部材を備えた椅子は、肘掛けと座面との間に形成される空間に起因する問題及び膝掛けを使用する場合の問題を解消することができるものであることから、事務用として汎用されている椅子の用途を始めとして、各種椅子の用途に用いることができる。
【符号の説明】
【００３７】
１  覆い部材
１１  装着部
１２  目隠し部
２  膝掛け部
２Ａ  膝掛け部材
３  椅子
３１  肘掛け
４  固着部材又は固着手段
【図１】
0006479365.tif 000002
【図２】
0006479365.tif 000003
【図３】
0006479365.tif 000004
【図４】
0006479365.tif 000005
【図５】
0006479365.tif 000006
【図６】
0006479365.tif 000007
【図７】
0006479365.tif 000008